(57)【要約】【課題】  第１フレームに対する第２フレームの相対位置が変動する等の歪みが発生することを抑制する。【解決手段】  第１側壁２２の第１壁面２２Ａ及び第２側壁２３の第２壁面２３Ａは、前後方向と交差する壁面であって、第１側壁２２及び第２側壁２３は支持プレート２０に一体化されている。第１側壁２２及び第２側壁２３が第１フレーム２１Ａ及び第２フレーム２１Ｂにネジ固定されている。つまり、曲げ剛性の大きい部位である第１側壁２２及び第２側壁２３と第１フレーム２１Ａ及び第２フレーム２１Ｂとが連結され、かつ、第１側壁２２及び第２側壁２３が支持プレート２０に一体化されている。したがって、「歪み」等の発生を抑制することが可能となる。【選択図】  図２
2016191793.tif 000002
【特許請求の範囲】
【請求項１】
シートに画像を形成する画像形成装置において、
シートに転写される現像剤像を担持する感光ドラムと、
ビーム状の光を走査しながら当該光を前記感光ドラムに照射することにより、当該感光ドラムを露光する露光器と、
前記感光ドラムの軸線方向と平行な幅方向において、前記露光器に対して幅方向一端側に配設された第１フレームと、
前記露光器に対して幅方向他端側に配設された第２フレームと、
前記露光器を支持する板状の支持プレートであって、前記第１フレームと前記第２フレームとの間を渡すように延びる支持プレートと、
前記支持プレートの板面と平行な方向のうち前記幅方向と直交する方向を前後方向としたとき、前記支持プレートの前後方向一端側に一体化された第１側壁であって、前記板面と交差する第１壁面を有して幅方向に延びる帯板状の第１側壁と、
前記支持プレートの前後方向他端側に一体化された第２側壁であって、前記板面と交差する第２壁面を有して幅方向に延びる帯板状の第２側壁と、
前記第１側壁及び前記第２側壁の延び方向一端側に設けられ、前記第１フレームにネジ固定された第１固定部と、
前記第１側壁及び前記第２側壁の延び方向他端側に設けられ、前記第２フレームにネジ固定された第２固定部と
を備えることを特徴とする画像形成装置。
【請求項２】
前記支持プレートの幅方向一端側に一体化された第３側壁であって、前記板面と交差する第３壁面を有して前後方向に延びる帯板状の第３側壁と、
前記支持プレートの幅方向他端側に一体化された第４側壁であって、前記板面と交差する第４壁面を有して前後方向に延びる帯板状の第４側壁とを備え、
前記第３側壁は第１フレームにネジ固定され、かつ、前記第４側壁は第２フレームにネジ固定されていることを特徴とする請求項１に記載の画像形成装置。
【請求項３】
前記第１固定部及び前記第３側壁は、幅方向において重なっており、
前記第１固定部及び前記第３側壁は、第１ネジにて共締め状態で前記第１フレームにネジ固定され、
前記第２固定部及び前記第４側壁は、幅方向において重なっており、
前記第２固定部及び前記第４側壁は、第２ネジにて共締め状態で前記第２フレームにネジ固定されていることを特徴とする請求項２に記載の画像形成装置。
【請求項４】
シートに画像を形成する画像形成装置において、
シートに転写される現像剤像を担持する感光ドラムと、
ビーム状の光を走査しながら当該光を前記感光ドラムに照射することにより、当該感光ドラムを露光する露光器と、
前記感光ドラムの軸線方向と平行な幅方向において、前記露光器に対して幅方向一端側に配設された第１フレームと、
前記露光器に対して幅方向他端側に配設された第２フレームと、
前記露光器を支持する板状の支持プレートであって、前記第１フレームと前記第２フレームとの間を渡すように延びる支持プレートと、
前記支持プレートの板面と平行な方向のうち前記幅方向と直交する方向を前後方向としたとき、前記支持プレートの前後方向一端側に一体化された第１側壁であって、前記板面と交差する第１壁面を有して幅方向に延びる帯板状の第１側壁と、
前記支持プレートの前後方向他端側に一体化された第２側壁であって、前記板面と交差する第２壁面を有して幅方向に延びる帯板状の第２側壁と、
前記第１側壁及び前記第２側壁の延び方向一端側に設けられ、前記第１フレームにネジ固定された第１固定部と、
前記第１側壁及び前記第２側壁の延び方向他端側に設けられ、前記第２フレームにネジ固定された第２固定部と、
前記支持プレートの幅方向一端側に一体化された第３側壁であって、前記板面と交差する第３壁面を有して前後方向に延びる帯板状の第３側壁と、
前記支持プレートの幅方向他端側に一体化された第４側壁であって、前記板面と交差する第４壁面を有して前後方向に延びる帯板状の第４側壁とを備え、
前記第１固定部及び前記第３側壁は、幅方向において重なっており、
前記第１固定部及び前記第３側壁は、第１ネジにて共締め状態で前記第１フレームにネジ固定され、
前記第２固定部及び前記第４側壁は、幅方向において重なっており、
前記第２固定部及び前記第４側壁は、第２ネジにて共締め状態で前記第２フレームにネジ固定されていることを特徴とする画像形成装置。
【請求項５】
前記第３側壁は前記第１固定部より前記第１フレーム側に位置し、前記第１固定部に前記第１ネジの雄ねじが締結される雌ねじが設けられ、
前記第４側壁は前記第２固定部より前記第２フレーム側に位置し、前記第２固定部に前記第２ネジの雄ねじが締結される雌ねじが設けられていることを特徴とする請求項３又は４に記載の画像形成装置。
【請求項６】
前記第１側壁〜前記第４側壁、前記第１固定部及び前記第２固定部は、前記支持プレートを構成する金属板が折り曲げられて形成されたことを特徴とする請求項３ないし５のいずれか１項に記載の画像形成装置。
【発明の詳細な説明】
【技術分野】
【０００１】
本発明は、電子写真方式の画像形成装置に関する。
【背景技術】
【０００２】
電子写真方式の画像形成装置では、少なくとも感光ドラム及び露光器を備える。感光ドラムはシートに転写される現像剤像を担持する。露光器は感光ドラムを露光する。
例えば、特許文献１に記載の画像形成装置では、左右両側それぞれに配設された第１フレーム及び第２フレーム間を渡すように延びるスキャナプレートが設けられ、当該スキャナプレートにレーザスキャナ（露光器）が組み付けられている。
【先行技術文献】
【特許文献】
【０００３】
【特許文献１】特開２００１−２３５６９９号公報
【発明の概要】
【発明が解決しようとする課題】
【０００４】
上記一対のフレームは、画像形成装置の構成機器を支持又は保持する骨格を構成するものである。このため、第１フレームに対する第２フレームの相対位置が変動する等の歪みが発生すると、シートに形成される画像の品質が低下するおそれがある。
【０００５】
本発明は、上記点に鑑み、上記した「歪み」等の発生を抑制することを目的とする。
【課題を解決するための手段】
【０００６】
本願では、シートに画像を形成する画像形成装置において、シートに転写される現像剤像を担持する感光ドラム（８）と、ビーム状の光を走査しながら当該光を感光ドラム（８）に照射することにより、当該感光ドラム（８）を露光する露光器（９）と、感光ドラム（８）の軸線方向と平行な幅方向において、露光器（９）に対して幅方向一端側に配設された第１フレーム（２１Ａ）と、露光器（９）に対して幅方向他端側に配設された第２フレーム（２１Ｂ）と、露光器（９）を支持する板状の支持プレート（２０）であって、第１フレーム（２１Ａ）と第２フレーム（２１Ｂ）との間を渡すように延びる支持プレート（２０）と、支持プレート（２０）の板面（２０Ａ）と平行な方向のうち幅方向と直交する方向を前後方向としたとき、支持プレート（２０）の前後方向一端側に一体化された第１側壁（２２）であって、板面（２０Ａ）と交差する第１壁面（２２Ａ）を有して幅方向に延びる帯板状の第１側壁（２２）と、支持プレート（２０）の前後方向他端側に一体化された第２側壁（２３）であって、板面（２０Ａ）と交差する第２壁面（２３Ａ）を有して幅方向に延びる帯板状の第２側壁（２３）と、第１側壁（２２）及び第２側壁（２３）の延び方向一端側に設けられ、第１フレーム（２１Ａ）にネジ固定された第１固定部（２６Ａ）と、第１側壁（２２）及び第２側壁（２３）の延び方向他端側に設けられ、第２フレーム（２１Ｂ）にネジ固定された第２固定部（２６Ｂ）とを備える。
【０００７】
本願に係る第１側壁（２２）の第１壁面（２２Ａ）及び第２側壁（２３）の第２壁面（２３Ａ）は、前後方向と交差する壁面であって、第１側壁（２２）及び第２側壁（２３）は支持プレート（２０）に一体化されている。換言すれば、支持プレート（２０）、第１側壁（２２）及び第２側壁（２３）は、第１フレーム（２１Ａ）と第２フレーム（２１Ｂ）とを強固に連結するブリッジ部材として機能する。
【０００８】
そして、本願では、第１側壁（２２）及び第２側壁（２３）が第１フレーム（２１Ａ）
及び第２フレーム（２１Ｂ）にネジ固定されている。つまり、本願では、曲げ剛性の大きい部位である第１側壁（２２）及び第２側壁（２３）と第１フレーム（２１Ａ）及び第２フレーム（２１Ｂ）とが連結され、かつ、第１側壁（２２）及び第２側壁（２３）が支持プレート（２０）に一体化されている。
【０００９】
したがって、ブリッジ部材の前後方向周りにおける曲げ剛性（断面二次モーメント）を大きくでき、かつ、第１フレーム（２１Ａ）と第２フレーム（２１Ｂ）とは、曲げ剛性の大きいブリッジ部材を介して強固に連結された構成となるので、上記した「歪み」等の発生を抑制することが可能となる。
【００１０】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１１】
【図１】本発明の実施形態に係る画像形成装置１の中央断面図である。
【図２】一対のフレーム２１及び支持プレート２０等の連結関係を示す図である。
【図３】図４のＡ−Ａ断面図である。
【図４】図２の上面図である。
【図５】本発明の第１実施形態に係る支持プレート２０等の斜視図である。
【図６】支持プレート２０の展開図である。
【図７】本発明の第２実施形態に係る支持プレート２０等の斜視図である。
【図８】本発明の第３実施形態に係る支持プレート２０等の斜視図である。
【発明を実施するための形態】
【００１２】
以下に説明する「発明の実施形態」は実施形態の一例を示すものである。つまり、特許請求の範囲に記載された発明特定事項等は、下記の実施形態に示された具体的手段や構造等に限定されるものではない。
【００１３】
本実施形態は、モノクロの画像形成装置に本発明を適用したものである。各図に付された方向を示す矢印等は、各図相互の関係を理解し易くするために記載したものである。本発明は、各図に付された方向に限定されるものではない。
【００１４】
少なくとも符号を付して説明した部材又は部位は、「複数」や「２つ以上」等の断りをした場合を除き、少なくとも１つ設けられている。以下、本発明の実施形態を図面と共に説明する。
【００１５】
（第１実施形態）
１．画像形成装置の構成
画像形成装置１の筐体３内には、図１に示すように、画像形成機構５が収納されている。画像形成機構５はシートに画像を形成する。当該画像形成機構５は、現像カートリッジ７、感光ドラム８、露光器９及び定着器１１等を有する電子写真方式である。
【００１６】
現像カートリッジ７は現像ローラ７Ａ及び貯留部７Ｂ等を有している。感光ドラム８は現像剤像を担持する。帯電器８Ａは感光ドラム８を帯電させる。露光器９は帯電した感光ドラム８を露光する。当該露光器９は、ビーム状の光を走査しながら当該光を感光ドラム８に照射する、いわゆるスキャナである。
【００１７】
感光ドラム８が露光されると、感光ドラム８の表面に静電潜像が形成される。現像ローラ７Ａは、貯留部７Ｂに貯留されている現像剤を感光ドラム８に供給する。これにより、
感光ドラム８に現像剤像が形成される。感光ドラム８と対向する位置には、転写ローラ１３が配設されている。
【００１８】
転写ローラ１３は、感光ドラム８に担持されている現像剤像をシートに転写させる。定着器１１は、現像剤を直接的又は間接的に加熱することにより、シートに転写された現像剤をシートに定着させる。
【００１９】
定着器１１は、シートを排紙トレイ３Ａ側に向けて搬送する。排紙トレイ３Ａには画像が形成されたシートが載置される。画像形成機構５よりシート搬送方向上流側にはフィーダ機構１５が設けられている。フィーダ機構１５は、給紙トレイ１７に載置されているシートを１枚ずつ画像形成機構５側に向けて送出する。
【００２０】
給紙トレイ１７は装置本体に着脱自在に装着されている。このため、利用者は、給紙トレイ１７にシートを補充する場合、及び給紙トレイ１７内に載置されているシートを変更する場合等に、給紙トレイ１７を装置本体に対して着脱できる。
【００２１】
給紙トレイ１７に載置されているシートは、給紙トレイ１７から画像形成機構５を介して排紙トレイ３Ａに至る搬送経路Ｌ１に沿って搬送される。搬送経路Ｌ１のうち感光ドラム８より搬送方向上流側には、一対のレジストレーションローラ１９が設けられている。
【００２２】
一対のレジストレーションローラ１９は、画像形成機構５に送り込まれるシートの姿勢を矯正する。具体的には、シートの搬送方向先端が当該レジストレーションローラ１９に到達した時、又はその直前で一対のレジストレーションローラ１９の回転が停止する。
【００２３】
このため、シートの搬送方向先端が一対のレジストレーションローラ１９の外周面に沿って倣うようにシートの姿勢が矯正される。その後、一対のレジストレーションローラ１９の回転が再開され、当該シートが画像形成機構５（感光ドラム８）に送り込まれる。
【００２４】
２．露光器の支持構造
露光器９は、図１に示す支持プレート２０により支持されている。支持プレート２０は、矩形板状の板材であって、図２〜図４に示すように第１フレーム２１Ａと第２フレーム２１Ｂとの間を渡すように幅方向に延びている。
【００２５】
なお、本実施形態に係る支持プレート２０は、露光器９の鉛直方向下面側から当該露光器９を支持する。幅方向とは、感光ドラム８の軸線方向と平行な方向をいう。支持プレート２０の板面２０Ａと平行な方向のうち幅方向と直交する方向を前後方向という。
【００２６】
なお、本実施形態では、幅方向は画像形成装置１の左右方向と一致し、前後方向は画像形成装置１の前後方向と一致する。つまり、特許請求の範囲に記載された「前後方向」は、上記により定義される方向であって、必ずしも「画像形成装置１の前後方向」と一致するものではない。
【００２７】
第１フレーム２１Ａは、露光器９に対して幅方向一端側（本実施形態では右側）に配設された略板状の強度部材である。第２フレーム２１Ｂは、露光器９に対して幅方向他端側（本実施形態では右側）に配設された略板状の強度部材である。以下、第１フレーム２１Ａ及び第２フレーム２１Ｂを総称するときは一対のフレーム２１と記す。
【００２８】
一対のフレーム２１は、樹脂若しくは金属製、又は樹脂と金属とを組み合わせたものである。一対のフレーム２１間には、露光器９や定着器１１等の画像形成機構５を構成する機器が配設されているとともに、搬送経路Ｌ１が構成されている。
【００２９】
支持プレート２０の前後方向一端側（本実施形態では、前側）には、図５に示すように、第１側壁２２が一体化されている。第１側壁２２は、板面２０Ａと交差する第１壁面２２Ａを有して幅方向に延びる帯板状の壁部である。
【００３０】
支持プレート２０の前後方向他端側（本実施形態では、後側）には第２側壁２３が一体化されている。第２側壁２３は、板面２０Ａと交差する第２壁面２３Ａを有して幅方向に延びる帯板状の壁部である。
【００３１】
支持プレート２０の幅方向一端側（本実施形態では、右側）には第３側壁２４が一体化されている。第３側壁２４は、板面２０Ａと交差する第３壁面２４Ａを有して前後方向に延びる帯板状の壁部である。
【００３２】
支持プレート２０の幅方向他端側（本実施形態では、左側）には第４側壁２５が一体化されている。第４側壁２５は、板面２０Ａと交差する第４壁面２５Ａを有して前後方向に延びる帯板状の壁部である。
【００３３】
第１側壁２２の壁面２２Ａ及び第２側壁２３の壁面２３Ａは、互いに略平行な面である。同様に、第３側壁２４の壁面２４Ａ及び第４側壁２５の壁面２５Ａは、互いに略平行な面である。
【００３４】
そして、第１側壁２２〜第４側壁２５は、図６に示すように、支持プレート２０を構成する金属板２０Ｂの一部が、プレス加工等で約９０度折り曲げられて当該支持プレート２０に一体形成されている。
【００３５】
第１側壁２２及び第２側壁２３の延び方向一端側（本実施形態では、右側）それぞれには、図３に示すように、第１固定部２６Ａが設けられている。各第１固定部２６Ａは、第１フレーム２１Ａにネジ固定された部位である。
【００３６】
第１側壁２２及び第２側壁２３の延び方向他端側（本実施形態では、左側）それぞれには、第２固定部２６Ｂが設けられている。各第２固定部２６Ｂは、第２フレーム２１Ｂにネジ固定された部位である。
【００３７】
なお、一対の第１固定部２６Ａ及び第２固定部２６Ｂは、図６に示すように、支持プレート２０を構成する金属板２０Ｂの一部が、プレス加工等で約９０度折り曲げられて当該支持プレート２０に一体形成されている。
【００３８】
そして、第１固定部２６Ａ及び第３側壁２４は、図３に示すように、幅方向において重なっているとともに、第１ネジ２７Ａにて共締め状態で第１フレーム２１Ａにネジ固定されている。
【００３９】
第２固定部２６Ｂ及び第４側壁２５も幅方向において重なっているとともに、第２ネジ２７Ｂにて共締め状態で第２フレーム２１Ｂにネジ固定されている。なお、本実施形態では、図４に示すように、第１ネジ２７Ａの軸線を延長した仮想線Ｌ２と第２ネジ２７Ｂの軸線とは一致しておらず、互いの軸線は前後方向にずれている。
【００４０】
第３側壁２４は、図３に示すように、第１固定部２６Ａより第１フレーム２１Ａ側に位置し、かつ、第１固定部２６Ａに第１ネジ２７Ａの雄ねじが締結される雌ねじが設けられている。同様に、第４側壁２５は第２固定部２６Ｂより第２フレーム２１Ｂ側に位置し、かつ、第２固定部２６Ｂに第２ネジ２７Ｂの雄ねじが締結される雌ねじが設けられている
。
【００４１】
なお、本実施形態では、第１ネジ２７Ａ及び第２ネジ２７Ｂは、ねじ切り作用を有するタッピングねじである。各雌ねじは、第１固定部２６Ａ及び第２固定部２６Ｂそれぞれに設けられたバーリング部２７Ｃの内周面に形成されている。
【００４２】
バーリング部２７Ｃは、金属板２０Ｂのうち第１固定部２６Ａ及び第２固定部２６Ｂに相当する部位に一体形成された円筒状の突起部であって、バーリング加工により形成されたものである。
【００４３】
３．本実施形態に係る画像形成装置の特徴
本実施形態に係る第１側壁２２の第１壁面２２Ａ及び第２側壁２３の第２壁面２３Ａは、前後方向と交差する壁面であって、第１側壁２２及び第２側壁２３は支持プレート２０に一体化されている。つまり、支持プレート２０、第１側壁２２及び第２側壁２３は、第１フレーム２１Ａと第２フレーム２１Ｂとを強固に連結するブリッジ部材として機能する。
【００４４】
そして、本実施形態では、第１側壁２２及び第２側壁２３が第１フレーム２１Ａ及び第２フレーム２１Ｂにネジ固定されている。つまり、本実施形態では、曲げ剛性の大きい部位である第１側壁２２及び第２側壁２３と第１フレーム２１Ａ及び第２フレーム２１Ｂとが連結され、かつ、第１側壁２２及び第２側壁２３が支持プレート２０に一体化されている。
【００４５】
したがって、ブリッジ部材の前後方向周りにおける曲げ剛性断面（二次モーメント）を大きくでき、かつ、第１フレーム２１Ａと第２フレーム２１Ｂとは、曲げ剛性の大きいブリッジ部材を介して強固に連結された構成となるので、第１フレームに対する第２フレームの相対位置が変動する等の「歪み」等の発生を抑制することが可能となる。
【００４６】
本実施形態では、支持プレート２０の幅方向一端側に一体化された第３側壁２４、及び支持プレート２０の幅方向他端側に一体化された第４側壁２５それぞれが各フレーム２１にネジ固定されている。これにより、第１フレーム２１Ａと第２フレーム２１Ｂとをより強固に連結することが可能となるので、上記した「歪み」等の発生を抑制することが可能となる。
【００４７】
本実施形態では、第１固定部２６Ａ及び第３側壁２４、並びに第２固定部２６Ｂ及び第４側壁２５は、第１ネジ２７Ａ及び第２ネジ２７Ｂそれぞれによって共締め状態で各フレーム２１にネジ固定されている。これにより、第１フレーム２１Ａと第２フレーム２１Ｂとを更に強固に連結することが可能となるので、上記した「歪み」等の発生を確実に抑制でき得る。
【００４８】
本実施形態では、第１固定部２６Ａに第１ネジ２７Ａの雄ねじが締結される雌ねじが設けられ、第２固定部２６Ｂに第２ネジ２７Ｂの雄ねじが締結される雌ねじが設けられている。これにより、曲げ剛性の大きい部位である第１側壁２２及び第２側壁２３と第１ネジ２７Ａ及び第２ネジ２７Ｂとを直接締結できるので、上記した「歪み」等の発生を更に抑制することができ得る。
【００４９】
（第２実施形態）
第１実施形態では、第１固定部２６Ａ及び第３側壁２４、並びに第２固定部２６Ｂ及び第４側壁２５は、第１ネジ２７Ａ及び第２ネジ２７Ｂそれぞれによって共締め状態で各フレーム２１にネジ固定されていた。
【００５０】
これに対して、本実施形態では、図７に示すように、第１固定部２６Ａと第３側壁２４とを幅方向に重ねることなく、第１固定部２６Ａ及び第３側壁２４それぞれを独立して第１フレーム２１Ａにネジ固定している。
【００５１】
同様に、第２固定部２６Ｂと第４側壁２５と幅方向に重ねることなく、第２固定部２６Ｂ及び第４側壁２５それぞれを独立して第２フレーム２１Ｂにネジ固定している。
なお、第３側壁２４には、第１フレーム２１Ａに設けられた少なくとも１つの突起部（図示せず。）が嵌り込む穴２４Ｂが設けられている。第４側壁２５には、第２フレーム２１Ｂに設けられた少なくとも１つの突起部（図示せず。）が嵌り込む穴２５Ｂが設けられている。
【００５２】
（第３実施形態）
上述の実施形態では、第１固定部２６Ａ及び第３側壁２４が第１フレーム２１Ａにネジ固定され、かつ、第２固定部２６Ｂ及び第４側壁２５が第２フレーム２１Ｂにネジ固定されていた。これに対して、本実施形態は、図８に示すように、第１固定部２６Ａ及び第２固定部２６Ｂを各フレーム２１にネジ固定したものである。
【００５３】
なお、支持プレート２０の幅方向一端には少なくとも１つの突起部２８Ａが設けられ、支持プレート２０の幅方向他端には少なくとも１つの突起部２８Ｂが設けられている。複数の突起部２８Ａは第１フレーム２１Ａに設けられた穴部（図示）に挿入される。複数の突起部２８Ｂは第２フレーム２１Ｂに設けられた穴部（図示）される。
【００５４】
（その他の実施形態）
上述の実施形態では、支持プレート２０、第１側壁２２〜第４側壁２５、第１固定部２６Ａ及び第２固定部２６Ｂは、１枚の金属板２０Ｂからプレス加工にて一体成形されたものであったが、本発明はこれに限定されるものではない。
【００５５】
上述の実施形態では、支持プレート２０、第１側壁２２〜第４側壁２５、第１固定部２６Ａ及び第２固定部２６Ｂは金属製であったが、本発明はこれに限定されるものではなく、例えば、炭素繊維にて強化された樹脂製等であってもよい。
【００５６】
また、本発明は、特許請求の範囲に記載された発明の趣旨に合致するものであればよく、上述の実施形態に限定されるものではない。
【符号の説明】
【００５７】
１… 画像形成装置  ３Ａ… 排紙トレイ  ５… 画像形成機構
７… 現像カートリッジ  ７Ａ… 現像ローラ  ７Ｂ… 貯留部
８… 感光ドラム  ８Ａ… 帯電器  ９… 露光器
１１… 定着器  １３… 転写ローラ  １５… フィーダ機構
１７… 給紙トレイ  １９… レジストレーションローラ
２０… 支持プレート  ２０Ａ… 板面  ２０Ｂ… 金属板
２１Ａ… 第１フレーム  ２１Ｂ… 第２フレーム
２１… フレーム  ２２… 第１側壁  ２２Ａ… 第１壁面
２３… 第２側壁  ２３Ａ… 第２壁面  ２４… 第３側壁
２４Ａ… 第３壁面  ２５… 第４側壁  ２７Ａ… 第１ネジ
２７Ｂ… 第２ネジ  ２７Ｃ… バーリング部
【図１】
2016191793.tif 000003
【図２】
2016191793.tif 000004
【図３】
2016191793.tif 000005
【図４】
2016191793.tif 000006
【図５】
2016191793.tif 000007
【図６】
2016191793.tif 000008
【図７】
2016191793.tif 000009
【図８】
2016191793.tif 000010